【事件の表示】
　特許第３３７２６２２号「観察用光学機器」の請求項１ないし３に係る特許に対する特許異議の申立てについて、次のとおり決定する。
【結　論】
　訂正を認める。
　特許第３３７２６２２号の請求項１に係る特許を維持する。
【理　由】
【1】手続の経緯
　特許第3372622号の請求項1〜3に係る発明は、平成5年12月27日に出願されたものであって、平成14年11月22日に設定登録がなされ、その後、小嶋武雄より特許異議申立がなされ、取消理由通知に対して、応答期間内である平成16年1月13日に特許異議意見書の提出と共に訂正請求がなされたものである。
　
【2】訂正の適否についての判断
【2-1】訂正の要旨
　特許権者が求めている訂正の内容は、以下のとおりである。
訂正事項a:
　請求項1の記載を、「並設された一対の対物光学系と、前記各対物光学系により形成される光学像の振れを補正する一対の補正光学系と、前記各補正光学系からの光を正立像が形成されるよう反射する一対の正立プリズムと、前記各正立プリズムからの光を観察側へ導く一対の接眼光学系と、前記対物光学系と前記補正光学系と前記正立プリズムと前記接眼光学系とを収容した光学機器本体と、該光学機器本体の振れを検出する振れ検出手段と、前記一対の補正光学系を駆動するアクチュエータと、該振れ検出手段の検出出力に基づいて前記アクチュエータの作動を制御する制御手段と、該制御手段を含む電気回路を実装した回路基板とを具備し、前記光学機器本体内に該回路基板および前記アクチュエータに電力を供給するバッテリーを収容し、該バッテリーと前記回路基板を、前記一対の対物光学系が並設された方向については、前記光学機器本体内の前記一対の対物光学系の間に配置し、前記回路基板を、光軸方向については、前記対物光学系と前記正立プリズムの間であって前記バッテリーの収容部よりも観察側に配置し、かつ前記回路基板を前記光軸に対して直交するように配置すると共に前記回路基板の片側または両側を、前記対物光学系の光束を遮らないように該光束の形に概略添った形状に形成したことを特徴とする観察用光学機器。」と訂正し、訂正前の請求項2及び請求項3を削除する。
訂正事項b:
　段落【0005】の記載を、「【0005】【課題を解決するための手段】本発明の観察用光学機器は上述の目的を達成するためのもので、並設された一対の対物光学系と、前記各対物光学系により形成される光学像の振れを補正する一対の補正光学系と、前記各補正光学系からの光を正立像が形成されるよう反射する一対の正立プリズムと、前記各正立プリズムからの光を観察側へ導く一対の接眼光学系と、前記対物光学系と前記補正光学系と前記正立プリズムと前記接眼光学系とを収容した光学機器本体と、該光学機器本体の振れを検出する振れ検出手段と、前記一対の補正光学系を駆動するアクチュエータと、該振れ検出手段の検出出力に基づいて前記アクチュエータの作動を制御する制御手段と、該制御手段を含む電気回路を実装した回路基板とを具備し、前記光学機器本体内に該回路基板および前記アクチュエータに電力を供給するバッテリーを収容し、該バッテリーと前記回路基板が、前記一対の対物光学系が並設された方向については、前記光学機器本体内の前記一対の対物光学系の間に配置され、前記回路基板が、光軸方向については、前記対物光学系と前記正立プリズムの間であって前記バッテリーの収容部よりも観察側に配置され、かつ前記回路基板は前記光軸に対して直交するように配置されていると共に前記回路基板の片側または両側は、前記対物光学系の光束を遮らないように該光束の形に概略添った形状に形成されている。」と訂正する。
訂正事項c:
　段落【0006】の記載を、「【0006】なお、本発明は、回路基板の左右片側端部あるいは両側端部を、光線を遮ることがないように光束の形に概略添った基板形状に設けているので、所定の基板面積を確保した上で左右の光軸間距離を最小とすることができる。」と訂正する。
訂正事項d:
　段落【0008】の記載を、「【0008】図1は本発明の前提技術例としての光学機器である双眼鏡を示す斜視図、図2は図1の平面断面図、図3は図1の正面断面図である。図7は図1の透視斜視図である。これらの図において、100は双眼鏡本体、300R、300Lは双眼鏡本体100に設けられた一対の接眼プリズムユニット本体である。」と訂正する。
訂正事項e:
　段落【0025】の記載を、「【0025】図8は、上述の前提技術例とは別の前提技術例で、制御回路基板510を充電バッテリー収容部110の横に並べて配置したものである。」と訂正する。
訂正事項f:
　段落【0016】の記載を、「【0016】接眼プリズムユニット本体300R、300Lは上述した接続鏡筒302とプリズム収容鏡筒308と接眼鏡筒310とから構成されている。プリズム収容鏡筒308内には、VAPユニット202、203を通過した光により形成される光学像を上下反転させる第1プリズム312とこの第1プリズム312からの光により形成される光学像を左右反転させる第2のプリズム314とが収容され保持されている。また接眼鏡筒310内には接眼レンズER、ELが収容され保持されている。」と訂正する。
訂正事項g:
　段落【0026】の記載を、「【0026】図9は、本発明の実施例を示す透視斜視図で、制御回路基板610と充電バッテリー収容部110が、一対の対物レンズユニットの並設方向については該一対の対物レンズユニット間に配置されているとともに、制御回路基板610は、光軸方向については一対の対物レンズユニットと正立プリズムとの間に配置されている。さらに、制御回路基板610は充電バッテリー収容部110の後方(観察側)に、対物レンズの光軸と直交するように配置されている。図1ないし図3で説明した実施例では振れセンサ210、211を、制御回路基板410とは別に配置していたが、これは振れセンサを光軸と直交させて配置する必要があるためであり、これに対し図9に示す本実施例では、制御回路基板610の上に振れセンサを配置することができる。なお制御回路基板610は光軸を遮らないように基板の両側を、概略光束に沿って半円形状に設けている。」と訂正する。
訂正事項h:
　【図面の簡単な説明】の記載を、
「【図面の簡単な説明】
　【図1】
　本発明の前提技術例の双眼鏡を示す斜視図
【図2】
図1の平面断面図
【図3】
図1の正面断面図
【図4】
図1、図2の視度・フォーカス調整機構を示す一部平面断面図
【図5】
ロック機構及びVAPユニットを示す斜視図
【図6】
ロック機構を示す正面図
【図7】
図1の透視斜視図
【図8】
本発明の前提技術例の双眼鏡を示す透視斜視図
【図9】
本発明の実施例の双眼鏡を示す透視斜視図
【符号の説明】
100...双眼鏡本体
110...充電バッテリー収容部
106R、L...対物レンズユニット
202、203...VAPユニット
220...ロック機構
224...振れ補正操作レバー
300R、L...接眼プリズムユニット
400...充電バッテリー
410...制御回路基板
412...振れ補正モード切換スイッチ
510...制御回路基板
610...制御回路基板」
と訂正する。
　
【2-2】訂正の目的の適否、新規事項の有無及び拡張・変更の存否
　上記訂正事項a〜hにおける、「該バッテリーと前記回路基板を、前記一対の対物光学系が並設された方向については、前記光学機器本体内の前記一対の対物光学系の間に配置し、前記回路基板を、光軸方向については、前記対物光学系と前記正立プリズムの間であって前記バッテリーの収容部よりも観察側に配置し、かつ前記回路基板を前記光軸に対して直交するように配置すると共に前記回路基板の片側または両側を、前記対物光学系の光束を遮らないように該光束の形に概略添った形状に形成した」の部分は、訂正前の請求項2、3の技術内容と、訂正前の段落【0006】、【0026】および図9に開示されていた技術事項に基づくものであり、特許請求の範囲の減縮を目的とするものである。また、訂正事項aにおける請求項の削除は特許請求の範囲の減縮を目的とするものである。
　そして、上記訂正事項a〜hにおける上記の点以外の訂正は、明りょうでない記載の釈明を目的として、特許明細書に記載された事項の範囲内でする訂正である。
　さらに、上記訂正事項a〜hは、実質上特許請求の範囲を拡張し又は変更するものでもない。
　
【2-3】むすび
　以上のとおりであるから、上記訂正は、特許法第120条の4第2項、同条第3項で規定する訂正について、平成6年法律第116号附則第6条第1項の規定によりなお従前の例によるとされる、改正前の特許法第第126条第1項ただし書き及び同条第2項の規定に適合するので、当該訂正を認める。
　
【3】特許異議の申立てについての判断
【3-1】本件発明
　訂正された本件の請求項1に係る発明(以下、「本件発明」という。)は、全文訂正明細書の特許請求の範囲の請求項1に記載された以下のものである。
　「【請求項1】並設された一対の対物光学系と、前記各対物光学系により形成される光学像の振れを補正する一対の補正光学系と、前記各補正光学系からの光を正立像が形成されるよう反射する一対の正立プリズムと、前記各正立プリズムからの光を観察側へ導く一対の接眼光学系と、前記対物光学系と前記補正光学系と前記正立プリズムと前記接眼光学系とを収容した光学機器本体と、該光学機器本体の振れを検出する振れ検出手段と、前記一対の補正光学系を駆動するアクチュエータと、該振れ検出手段の検出出力に基づいて前記アクチュエータの作動を制御する制御手段と、該制御手段を含む電気回路を実装した回路基板とを具備し、前記光学機器本体内に該回路基板および前記アクチュエータに電力を供給するバッテリーを収容し、該バッテリーと前記回路基板を、前記一対の対物光学系が並設された方向については、前記光学機器本体内の前記一対の対物光学系の間に配置し、前記回路基板を、光軸方向については、前記対物光学系と前記正立プリズムの間であって前記バッテリーの収容部よりも観察側に配置し、かつ前記回路基板を前記光軸に対して直交するように配置すると共に前記回路基板の片側または両側を、前記対物光学系の光束を遮らないように該光束の形に概略添った形状に形成したことを特徴とする観察用光学機器。」
　
【3-2】申立ての理由の概要
　申立人葛城範子は、訂正前の請求項1〜3に係る発明は、刊行物1、2に記載された発明に基づいて当業者が容易に発明できたものである旨主張する。なお、訂正前の請求項2及び請求項3は訂正により削除された。
　刊行物1:特開平2-284113号公報
　刊行物2:特開昭56-99316号公報
　
【3-3】刊行物の開示事項
刊行物1:特開平2-284113号公報 
　第3頁左上欄第2行に「la、lbは1対の対物レンズ」とあり、第1図にはこの1対の対物レンズが並設されていることが示されている。第3頁左上欄第14行〜右上欄第2行に「1対の第2反射鏡3a、3bには、…Z軸を回転軸として駆動制御されている。…第3反射部6には…Y軸を回転軸として駆動制御されている。」とある。第3頁右上欄第5行〜第8行に「9a、9bは1対の菱形プリズムであり…一対の接眼レンズ10a、10bに導光する形状より成っている。」とある。第3頁右上欄第8行〜第10行に「1対の接眼レンズ10a、10bは観察者の眼幅に対応した光軸間距離を隔てて配置されている。」とある。第2頁右下欄第20行〜第3頁左上欄第1行に「第1図は本発明に係る双眼鏡の第1実施例の光学系の要部概略図である。」とあり、第1図には、1対の対物レンズ、1対の第2反射部、第3反射部、1対の菱形プリズム、1対の接眼レンズが示されている。第3頁左下欄第6行〜第10行に「双眼鏡が振動したりブレたりしたときは…そのときのブレを双眼鏡の一部に設けた例えば加速度センサー、振動ジャイロ、ジャイロコンバス等のブレ検出手段で検出する。」とある。第3頁左下欄第12行〜第14行に「アクチュエーター5、7を各々駆動させて1対の第2反射部3a、3bと第3反射部6を各々軸を中心に回動させている。」とある。第3頁左下欄第10行〜第12行に「該ブレ検出手段からの出力信号に基づいて防振手段の一要素であるアクチュエーター5、7を各々駆動させて…」とある。
　
刊行物2:特開昭56-99316号公報 
　第2頁左上欄第4行〜第5行に「プリント基板10を配設している」とあり、第7図〜第9図にはプリント基板10に形成されたプリント配線が示されている。第2頁左上欄第18行〜右上欄第2行に「電源の電池11は直列に接続されていて…電池接点板12bがプリント基板10のターミナル10aと10bの導通部に接続され、…」とあり、第2頁右上欄第14行〜第19行に「スイッチ3aを押込むと…ギヤモーター2を正転回転する回路が完成する」とあり、第2頁右下欄第4行〜第9行に「スイッチ3bを押込むことにより…ギヤモーター2を逆転回転させる回路が完成する」とある。第3図にはプリント基板10及び電池11が双眼鏡の一対の鏡筒の間に配設されることが図示され、第2図には双眼鏡を対物光学系の側から見た図が示されている。第3図には、プリント基板10の全体が一対のレンズ鏡筒の間に収容されている状態が示されている。
　
【3-4】刊行物記載の発明との対比・判断
　本件発明は、光学像の振れを補正する一対の補正光学系を備えた観察用光学機器において、「バッテリーと…回路基板を、…一対の対物光学系が並設された方向については、前記光学機器本体内の前記一対の対物光学系の間に配置し、前記回路基板を、光軸方向については、前記対物光学系と…正立プリズムの間であって前記バッテリーの収容部よりも観察側に配置し、かつ前記回路基板を前記光軸に対して直交するように配置すると共に前記回路基板の片側または両側を、前記対物光学系の光束を遮らないように該光束の形に概略添った形状に形成したこと」ことを技術事項として含むものである。
　これに対して、刊行物1は、光学像の振れを補正する一対の補正光学系を備えた観察用光学機器を開示し、刊行物2は、観察光学機器のバッテリーと回路基板を一対のレンズ鏡筒の間に配置したものが示されているが、いずれも、バッテリーと回路基板を、一対の対物光学系が並設された方向については一対の対物光学系の間に配設し、回路基板を、光軸方向については、対物光学系と正立プリズムの間であってバッテリーの収容部よりも観察側に配置し、かつ回路基板を前記光軸に対して直交するように配置すると共に回路基板の片側または両側を、対物光学系の光束を遮らないように該光束の形に概略添った形状に形成することについては、何ら示唆するところがない。
　そして、本件発明は、この点で明細書の段落【0027】記載の効果を生じるものと認められる。
　よって、刊行物1、2に記載された発明を根拠として、本件発明が特許法第29条第2項に違反して特許されたものということはできない。
　
【3-5】むすび
　以上のとおりであるから、特許異議申立の理由及び証拠方法によっては、本件の請求項1に係る発明の特許を取り消すことはできない。
　また、他に本件の請求項1に係る発明の特許を取り消すべき理由を発見しない。
　よって、結論のとおり決定する。
【異議決定日】
平成１６年３月９日（２００４．３．９）
【訂正の要旨】
審決（決定）の【理由】欄参照。
（５４）【発明の名称】
観察用光学機器
（５７）【特許請求の範囲】
　【請求項１】　並設された一対の対物光学系と、
前記
前記
光
が形成され
前記
光
を具備し
前記光学機器本体内に
を収容
前記一対の対物光学系が並設された方向については
前記
前記回路基板を、光軸方向については、前記対物光学系と前記正立プリズムの間であって前記バッテリーの収容部よりも観察側に配置し、かつ前記回路基板を前記光軸に対して直交するように配置すると共に前記回路基板の片側または両側を、前記対物光学系の光束を遮らないように該光束の形に概略添った形状に形成した
【発明の詳細な説明】
　【０００１】
　【産業上の利用分野】
　本発明は、光学機器の振れ量を検出し、この検出出力に基づいて光学機器の光学像を常に一定の位置に保持するように光軸を偏向させる像振れ補正機能を有する望遠鏡、双眼鏡等の観察用光学機器に関するものである。
　【０００２】
　【従来の技術】
　従来、観察用光学機器の像振れを解消する装置として、特開昭５０−５０５８号に記載されているような、ジンバルで支持された正立プリズムにジャイロスコープを接続した像安定装置付き双眼鏡が知られている。またバッテリーの配置に関する従来技術として、特開平３−２６４９０８号や、実開昭５５−１２８００８等に記載されているものが知られている。
　【０００３】
　【発明が解決しようとする課題】
　しかしながら、現状では補正光学系を駆動制御して光学機器の像振れを補正する装置は比較的大きな回路基板とバッテリーを必要とするため、光学機器が大型化するという問題がある。
　【０００４】
　本発明は上述した従来の課題を解決するためのもので、良好な像安定状態を得ることができ、機器の小型化を有効に図ることのできる観察用光学機器を提供することを目的としている。
　【０００５】
　【課題を解決するための手段】
　本発明の観察用光学機器は上述の目的を達成するためのもので、並設された一対の対物光学系と、
前記
前記
光
が形成され
前記
光
を具備し
前記光学機器本体内に
を収容
前記一対の対物光学系が並設された方向については
前記
前記回路基板が、光軸方向については、前記対物光学系と前記正立プリズムの間であって前記バッテリーの収容部よりも観察側に配置され、かつ前記回路基板は前記光軸に対して直交するように配置されていると共に前記回路基板の片側または両側は、前記対物光学系の光束を遮らないように該光束の形に概略添った形状に形成
　【０００６】
　なお、本発明は
、
いるので
ことができる。
　【０００７】
　【実施例】
　以下、本発明の実施例を図面を用いて説明する。
　【０００８】
　図１は本発明の
前提技術例として
　【０００９】
　双眼鏡本体１００は上シェル１０２と下シェル１０４とから構成されている。下シェル１０４には、その対物側である一端側に一対（右眼用Ｒ、左眼用Ｌ）の対物レンズユニット１０６Ｒ、１０６Ｌが配設されており、接眼側である他端側には上述の一対の接眼プリズムユニット本体３００Ｒ、３００Ｌが配設されている。対物レンズユニット１０６Ｒ、１０６Ｌは図２および図４の要部拡大図に示すように、対物レンズ鏡筒１６２Ｒ、１６２Ｌを有しており、この対物レンズ鏡筒１６２Ｒ、１６２Ｌには対物レンズＬＲ１、ＬＬ１が保持されている。対物レンズ鏡筒１６２Ｒ、１６２Ｌの接眼側にはガイド鏡筒１６４Ｒ、Ｌが保持されており、このガイド鏡筒１６４Ｒ、１６４Ｌ内にはフォーカスレンズＬＲ２、ＬＬ２を保持したフォーカスレンズ鏡筒１６６Ｒ、１６６Ｌが収容されている。対物レンズ鏡筒１６２Ｒ、１６２Ｌのフランジ部ガイド鏡筒１６４Ｒ、１６４Ｌの突出部との間にはそれぞれ一対のガイドバー１６８ａ、１６８ｂとが配設されており、フォーカスレンズ鏡筒１６６Ｒ、Ｌのスリーブ１６６ａ、１６６ａにガイドバー１６８ａ、１６８ａが挿通され、フォーカスレンズ鏡筒１６６Ｒ、１６６ＬのＵ字突出部１６６ｂ、１６６ｂにはガイドバー１６８ｂ、１６８ｂが挿通されている。これによりフォーカスレンズ鏡筒１６６Ｒ、１６６Ｌは光軸方向に移動自在に支持されている。
　【００１０】
　対物レンズユニット１０６Ｒ、１０６Ｌとの間には視度・フォーカス調整機構１０８が設けられている。視度・フォーカス調整機構１０８は図３、図４に示すように、上シェル１０２の調整機構収容部１２２に収容され、上シェル１０２に保持されたガイド支持板１８０を有している。ガイド支持板１８０にはフォーカスガイド軸１８２と回転規制軸１８４とが固定されている。フォーカスガイド軸１８２は、右眼側のフォーカスレンズ鏡筒１６６Ｒを光軸方向に駆動するフォーカスレンズ駆動板１８６Ｒのスリーブ１８６ａと、左眼側のフォーカスレンズ鏡筒１６６Ｌを光軸方向に駆動するフォーカスレンズ駆動板１８７Ｌのスリーブ１８７ａとに挿通されている。回転規制軸１８４は、フォーカスレンズ駆動板１８６Ｒの回転規制穴１８６ｂと、フォーカスレンズ駆動板１８７Ｌの回転規制穴１８７ｂとに挿通されている。フォーカスレンズ駆動板１８６Ｒにはフォーカス送り用のねじ穴１８６ｃが設けられている。このねじ穴１８６ｃには視度調整軸１８８のねじ部１８８ａが噛合されており、ねじ部１８８ａの一端にはねじ部１８８ａの径より小径とされた連結軸部１８８ｂが形成されている。ねじ部１８８ａの他端には回転規制平面部が形成されたスライド軸部１８８ｃが形成されている。上シェル１０２の調整機構収容部１２２の半円支持部１２２ａには視度調整リング１８９が定位置回転自在に支持されており、視度調整リング１８９のスライド穴１８９ａには視度調整軸１８８のスライド軸部１８８ｃが軸方向でスライド自在に挿入されている。フォーカスレンズ駆動板１８６Ｒには駆動係合突起１８６ｄが形成されており、この突起１８６ｄはフォーカスレンズ鏡筒１６６Ｒのスリーブ１６６ａに形成された係合溝１６６ｃに係合されている。
　【００１１】
　またフォーカスレンズ駆動板１８７Ｌにはコ字状の軸受け板部１８７ｄ、１８７ｅとが形成されている。軸受け板部１８７ｄには視度調整軸１８８の連結軸部１８８ｂが、駆動板１８６Ｒのねじ穴１８６ｃの端面と軸受け板部１８７ｄとの間に止めリング１９０、押圧バネ１９１を介して挿通されている。軸受け板部１８７ｅにはフォーカスねじ軸１９２が非回転状態で固定されている。上シェル１０２の調整機構収容部１２２の半円支持部１２２ｂにはフォーカス調整リング１９３が定位置回転自在に支持されており、このフォーカス調整リング１９３のねじ穴１９３ａにはフォーカスねじ軸１９２が噛合している。フォーカスレンズ駆動板１８７Ｌには駆動係合突起１８７ｃが形成されており、この突起１８７ｃはフォーカスレンズ鏡筒１６６Ｌのスリーブ１６６ａに形成された係合溝１６６ｃに係合されている。
　【００１２】
　これにより、フォーカス調整リング１９３を回転させると、フォーカスねじ軸１９２が光軸方向に移動されてフォーカスレンズ駆動板１８７Ｌが光軸方向に移動され、これによりフォーカスレンズ鏡筒１６６Ｌが移動される。またこれと同時に軸受け板部１８７ｄに支持され押圧バネ１９１に押圧された視度調整軸１８８が光軸方向に移動され、ねじ連結されたフォーカスレンズ駆動板１８６Ｒが移動されフォーカスレンズ鏡筒１６６Ｒが移動される。なおこの時視度調整リング１８９は非回転でありスライド穴１８９ａ内を調整軸１８８のスライド軸部１８８ｃがスライド移動する。これらのフォーカスレンズ鏡筒１６６Ｒ、１６６Ｌの移動によりフォーカス調整が行われる。また、視度調整リング１８９を回転させると、スライド連結された視度調整軸１８８が定位置回転されこの回転により、ねじ部１８８ａに噛合されたフォーカス送り用ねじ穴１８６ｃが光軸方向に移動され、これにより右眼側のフォーカスレンズ鏡筒１６６Ｒが移動され視度調整が行われる。
　【００１３】
　下シェル１０４の各対物レンズユニット１０６Ｒ、１０６Ｌと接眼プリズムユニット本体３００Ｒ、３００Ｌとの間には、可変頂角プリズム（ＶＡＰ）ユニット２０２、２０３が下シェル１０４に形成されたユニット支持板１４２に配設されている。ＶＡＰユニット２０２、２０３の本体２０２ａ、２０３ａの対物側には遮光筒２０４、２０４が固定されている。本体２０２ａ、２０３ａ内にはＶＡＰ素子２０５、２０５が収容されている。ＶＡＰ素子２０５、２０５は、図５にも示すように、２枚の透明板の間がベローズにより液密的に接続され、その中に所定の屈折率を有する透明液体が収容されている。ＶＡＰ素子２０５はそれぞれ保持枠２０７ａ、ｂに保持され、この保持枠２０７ａ、ｂに形成されたコイル部２０８ａ、ｂおよび本体２０２ａ、２０３ａに形成されたマグネット部２０９、２０９とで電磁アクチュエータを構成し、その駆動により左右の各ＶＡＰ素子２０５、２０５の対物側の透明板がヨー（水平）方向に傾けられ接眼側の透明板がピッチ（垂直）方向に傾けられる。これによりＶＡＰ素子を通過する光線が偏向させられる。また本体２０２ａには双眼鏡本体１００の垂直方向の振れを検出する振れ検出センサ２１０が固定され、本体２０３ａには双眼鏡本体１００の水平方向の振れを検出する振れ検出センサ２１１が固定されている。
　【００１４】
　ＶＡＰユニット２０２、２０３の間には図５および図６に示すように、ユニット支持板１４２に支持されたロック機構２２０が配設されている。ロック機構２２０は連動アーム２２１を有しており、連動アーム２２１はその中心がユニット支持板１４２に回転自在に取り付けられている。連動アーム２２１の両端部にはそれぞれロックアーム２２２が支持板１４２に回転自在に設けられており、連動アーム２２１の端部の係合溝部２２１ａ、２２１ａとロックアーム２２２の係合突起２２２ａとが係合自在とされている。ロックアーム２２２の一端にはＶＡＰ素子２０５、２０５の保持枠２０７ａ、２０７ｂに形成されたロックピン２１２、２１２を係合する円錐状のロック溝２２２ｂ、２２２ｂが形成されている。ロックアーム２２２の他端にはバネ止め突起２２２ｃが設けられており、突起２２２ｃにはロックアーム２２２の回転軸に巻装されたバネ２２３の一端が当接され、ロック溝２２２ｂが保持枠２０７ａ、ｂのロックピン２１２を係合する方向に付勢されている。また左眼側のＶＡＰユニット２０３側のロックアーム２２２上には上シェル１０２にその一端が回転自在に取り付けられた振れ補正操作レバー２２４が配置されている。操作レバー２２４の一端の回転軸にはバネ２２５が巻装されており、バネ２２５の付勢力により上シェル１０２に当接する方向に押圧されている。また操作レバー２２４の他端側のＶＡＰユニット２０３に対向する面にはロックアーム２２２に接触し操作レバー２２４が押圧操作されたときにロックアーム２２２のロック溝２２２ｂとＶＡＰ素子２０５のロックピン２１２との係合が解除されるよう作用する操作突起２２４ａが形成されている。また操作レバー２２４の操作突起２２４ａの近傍にはスイッチ作動突起２２４ｂが形成されており、突起２２４ｂは操作レバー２２４が押圧操作されたときに、操作レバー２２４とＶＡＰ素子２０５との間に配置された振れ補正操作スイッチ２２６を作動させるように構成されている。
　【００１５】
　また上シェル１０２および下シェル１０４の接眼側には接眼プリズムユニット保持プレート２３０が配設されており、保持プレート２３０には接眼プリズムユニット本体３００Ｒ、３００Ｌを回転自在に保持する保持穴２３０ａ、２３０ａが形成されている。保持穴２３０ａ、２３０ａには接眼プリズムユニット本体３００Ｒ、３００Ｌの筒状の接続鏡筒３０２、３０２が挿入されており、接続鏡筒３０２、３０２にはシェル１０２、１０３側から保持プレート２３０を介して取付リング３０４、３０４がネジ止めされ回転自在に取り付けられている。また取付リング３０４、３０４には扇形状の互いに噛合する連動ギア板３０６、３０６が固定されており、接眼プリズムユニット本体３００Ｒ、３００Ｌを回転させると双眼鏡本体１００に対して同一角度に回転しとれにより眼幅調整を行えるようになっている。
　【００１６】
　接眼プリズムユニット本体３００Ｒ、３００Ｌは上述した接続鏡筒３０２とプリズム収容鏡筒３０８と接眼鏡筒３１０とから構成されている。プリズム収容鏡筒３０８内には、ＶＡＰユニット２０２、２０３を通過した
光により形成される
光により形成される
　【００１７】
　また、図３に示したように、双眼鏡本体１００内の対物レンズユニット１０６Ｒ、Ｌとの間には、バッテリー収容部１１０が形成されており、収容部１１０にはＶＡＰユニット２０２、２０３の駆動電力を供給する充電バッテリー（図示省略）が収容されている。収容部１１０にはバッテリー取り出し用の押し出しバネ１１２とバッテリーの接点に接続されるコネクタ１１４とバッテリー取り出し口の開閉蓋１１６とが設けられている。
　【００１８】
　さらに図３に示したように、上シェル１０２には基板収容部１０２ａが形成されており、基板収容部１０２ａ内にはＶＡＰユニット２０２、２０３の駆動を制御する制御回路基板４１０が収容され保持されている。制御回路基板４１０にはバッテリーコネクタ１１４からの電力供給用のリード線（図示省略）が接続されている。さらに制御回路基板４１０には、ＶＡＰユニット２０２、２０３の振れ検出センサ２１０、２１１から振れ検出信号が入力され、この信号に基づいてＶＡＰユニット２０２、２０３を駆動しＶＡＰ素子２０５、２０５を傾動させて観察すべき光線を振れを補正する方向に傾けるように駆動制御する。
　【００１９】
　上シェル１０２の基板収容部１０２ａには収容部をカバーするシェルカバー１０２ｂが配設されている。シェルカバー１０２ｂには、図１に示したように、振れ補正モード切換スイッチ４１２とバッテリーチェックボタン４１４とバッテリー残量表示ＬＥＤ４１６とが配設されこれらは上述の制御回路基板４１０に電気的に接続されている。振れ補正モード切換スイッチ４１２はＯＦＦモード、通常振れ補正モード、パンニング状態振れ補正モードの３モードがある。バッテリーチェックボタン４１４を押圧操作すると充電バッテリー４００の残量が制御回路基板４１０によりチェックされ、検出されたバッテリー残量に応じた表示がバッテリー残量表示ＬＥＤ４１６により行われる。
　【００２０】
　図７は制御回路基板４１０と充電バッテリー収容部１１０の配置を示す透視斜視図で一対の対物レンズユニット１０６Ｒ、１０６Ｌの間に効率よく配置されている。
　【００２１】
　次に、上述の実施例の双眼鏡の操作および動作について説明する。
　【００２２】
　まず、観察者は双眼鏡本体１００を把持し、接眼プリズムユニット本体３００Ｒ、３００Ｌを内側あるいは外側に回して眼幅調整を行う。次に、観察者は右眼を閉じ左眼を開いた状態で視度・フォーカス調整機構１０８のフォーカス調整リング１９３を回転させて左眼側の焦点合わせを行う。そして、左眼を閉じ右眼を開いた状態で視度・フォーカス調整機構１０８の視度調整リング１８９を回転させて右眼側の焦点合わせを行う。この状態で左右の焦点合わせおよび視度調整が行われたこととなり、これで観察者は双眼鏡を介して観察を良好に行うことができる。
　【００２３】
　また、双眼鏡本体１００の振れ補正モード切換スイッチ４１２を通常あるいはパンニング状態の振れ補正モードに設定した状態で、振れ補正操作レバー２２４を押圧操作すると、左眼側のＶＡＰユニット２０３側のロックアーム２２２が押圧されるとともに振れ補正操作スイッチ２２６が押圧されてＯＮ状態となる。これにより連動アーム２２１が作動され各ロックアーム２２２のロック溝２２２ｂとＶＡＰ素子２０５のロックピン２１２との係合が解放されるとともに、ＶＡＰユニット２０２、２０３が振れ補正状態となり振れ検出センサ２１０、２１１の出力に基づいてＶＡＰ素子２０５、２０５が傾動され、手ぶれによる像の振れが補正された像を観察できる。またこの振れ補正状態から振れ補正操作レバー２２４の押圧を解除するとロックアーム２２２のバネ２２３および操作レバー２２４のバネ２２５の付勢力によりロックアーム２２２および操作レバー２２４が復帰し、ロック溝２２２ｂとロックピン２１２とが係合されてＶＡＰユニット２０２、２０３がロックされるとともに、振れ補正操作スイッチ２２６がＯＦＦ状態にされ、これによりＶＡＰユニット２０２、２０３への電力供給が停止される。なお、この状態でＶＡＰユニット２０２、２０３はロック機構２２０のロックにより透明板２０５ａ、２０５ａが平行状態に保持される。
　【００２４】
　なお、振れ補正操作レバー２２４の押圧操作および押圧解除の動作におけるロック機構２２０のロック作用タイミングおよび振れ補正操作スイッチ２２６のＯＮ、ＯＦＦのタイミングは、上述の説明のように押圧したときロック機構２２０のロックが解除され、続いて振れ補正操作スイッチ２２６がＯＮ状態となり、押圧解除すると振れ補正操作スイッチ２２６がＯＦＦ状態となりさらにロック機構２２０がロック状態となる。あるいは、ロック機構２２０のロックと振れ補正操作スイッチ２２６のＯＮ、ＯＦＦ切換タイミングが同時でもよく、さらに操作レバー２２４が押圧されたときスイッチ２２６が最初にＯＮ状態となりＶＡＰユニット２０２、２０３のＶＡＰ素子２０５の平行状態が保持された状態で次いでロック機構２２０のロックを解除しこの後ＶＡＰユニット２０２、２０３により振れ補正状態となる。また操作レバー２２４の押圧を解除するとＶＡＰユニット２０２、２０３のＶＡＰ素子２０５、２０５の平行状態が保持された後ロック機構２２０によるロックが作動するようにしてもよい。なおこの場合は、振れ補正操作スイッチ２２６にたとえば２段スイッチを用いることがよい。
　【００２５】
　図８は、上述の
前提技術例
前提技術例
　【００２６】
　図９は、
本発明の実施例
制御回路基板６１０と充電バッテリー収容部１１０が、一対の対物レンズユニットの並設方向については該一対の対物レンズユニット間に配置されているとともに
制御回路基板６１０は、光軸方向については一対の対物レンズユニットと正立プリズムとの間に配置されている。さらに、
（観察側）
サ
サ
　【００２７】
　このように、上述した実施例の観察用光学機器である双眼鏡では可変頂角プリズムにより良好な像安定状態を得ることができるとともに、普通の双眼鏡に比べて、それほど大型化せずに機器を構成することができる。
　【００２８】
　【発明の効果】
　以上説明したように本発明の観察用光学機器は、良好な像安定状態を得ることができ、機器の小型化を有効に図ることが可能である。
　【００２９】
　【００３０】
　すなわち、光学機器本体を大型化せずに、振れ補正制御を行う回路基板やバッテリーを内蔵することができる。
【図面の簡単な説明】
　【図１】
　本発明の
前提技術例
　【図２】
　図１の平面断面図
　【図３】
　図１の正面断面図
　【図４】
　図１、図２の視度・フォーカス調整機構を示す一部平面断面図
　【図５】
　ロック機構及びＶＡＰユニットを示す斜視図
　【図６】
　ロック機構を示す正面図
　【図７】
　図１の透視斜視図
　【図８】
　本発明の
前提技術例
　【図９】
　本発明の
実施例
　【符号の説明】
　１００…双眼鏡本体
　１１０…充電バッテリー収容部
　１０６Ｒ、Ｌ…対物レンズユニット
　２０２、２０３…ＶＡＰユニット
　２２０…ロック機構
　２２４…振れ補正操作レバー
　３００Ｒ、Ｌ…接眼プリズムユニット
　４００…充電バッテリー
　４１０…制御回路基板
　４１２…振れ補正モード切換スイッチ
　５１０…制御回路基板
　６１０…制御回路基板